(57)【特許請求の範囲】
【請求項１】
第一外部端子を有する蓄電素子と、
前記蓄電素子と隣り合う終端部材と、
第二外部端子、該第二外部端子と前記第一外部端子とを電気的に接続する導電部材、前記導電部材を保持する基台部、前記導電部材と前記基台部と前記終端部材とを貫通した状態で締結する金属製のリベット、及び前記リベットと前記導電部材における該リベットの貫通している穴の内周面との間に配置される絶縁部材を有する端子台と、を備え、
前記基台部は、
前記終端部材に固定され、且つ前記導電部材に対して前記終端部材が位置する側において該導電部材を支持する支持部と、
前記支持部との間に前記導電部材の少なくとも一部を挟み込む押さえ部と、を有する、蓄電装置。
【請求項２】
前記導電部材は、所定の方向に延び且つ前記支持部を介して前記終端部材に固定される第一部位と、前記所定の方向と交差する方向に前記第一部位から延びる第二部位と、を有し、
前記押さえ部は、前記第一部位の少なくとも一部を前記支持部との間に挟み込み、
前記第二外部端子は、前記第二部位から突出するネジ部を有する、請求項１に記載の蓄電装置。
【請求項３】
前記導電部材の前記第二部位は、前記ネジ部が突出する方向視において非円形の輪郭を有し、
前記基台部は、前記ネジ部を回転軸とするトルクと交差する方向に広がり且つ前記導電部材の前記輪郭を構成する端面の少なくとも一部と面接触する当接面を有する、請求項２に記載の蓄電装置。
【請求項４】
前記端子台は、前記絶縁部材と前記リベットとの間で該リベットを囲む金属製の筒状部材を有する、請求項１〜３のいずれか１項に記載の蓄電装置。
【請求項５】
前記基台部と前記絶縁部材とが一体である、請求項１〜４のいずれか１項に記載の蓄電装置。
【請求項６】
前記リベットは、前記導電部材と前記基台部と前記終端部材とを貫通する軸部と、前記軸部における該軸部の貫通方向に間隔をあけた位置で前記貫通方向と直交する面方向にそれぞれ広がり、且つその間に前記導電部材と前記基台部と前記終端部材とを挟み込む一対の大径部と、を有し、
前記絶縁部材は、
前記軸部の周囲を囲む第一筒部と、前記リベットの一方の大径部と該一方の大径部と隣り合う前記導電部材、前記基台部、又は前記終端部材との間において前記第一筒部の端部から広がる第一鍔部と、を有する第一部材と、
前記第一筒部と前記リベットの貫通している穴の内周面との間において該第一筒部を囲う第二筒部と、前記リベットの他方の大径部と該他方の大径部と隣り合う前記導電部材、前記基台部、又は前記終端部材との間において前記第二筒部の端部から広がる第二鍔部と、を有する第二部材と、を有する、請求項１〜５のいずれか１項に記載の蓄電装置。
【請求項７】
第一外部端子を有する蓄電素子と、
前記蓄電素子と隣り合う終端部材と、
第二外部端子、該第二外部端子と前記第一外部端子とを電気的に接続する導電部材、及び前記導電部材を保持する基台部、を有する端子台と、を備え、
前記基台部は、
前記終端部材に固定され、且つ前記導電部材に対して前記終端部材が位置する側において該導電部材を支持する支持部と、
前記支持部との間に前記導電部材の少なくとも一部を挟み込む押さえ部と、を有し、
前記第二外部端子は、前記導電部材から突出するネジ部を有し、
前記導電部材は、前記ネジ部と直交する面方向に広がる板状の部材であり、且つ前記ネジ部が突出する方向視において非円形の輪郭を有し、
前記基台部は、前記ネジ部を回転軸とするトルクと交差する方向に広がり且つ前記導電部材の前記輪郭を構成する端面の少なくとも一部と面接触する当接面を有し、
前記当接面は、前記板状の導電部材の周端面と全周に亘って面接触し且つ前記押さえ部と一体に構成される、蓄電装置。
【請求項８】
前記端子台は、
前記導電部材と前記基台部と前記終端部材とを貫通した状態で締結し且つ金属製のリベットと、
前記リベットと前記導電部材における該リベットの貫通している穴の内周面との間に配置される絶縁部材と、を有する、請求項７に記載の蓄電装置。
【請求項９】
前記端子台は、前記導電部材と前記基台部とが一体化されたインサート成形品である、請求項１〜８のいずれか１項に記載の蓄電装置。
【発明の詳細な説明】
【技術分野】
【０００１】
本発明は、外部機器、他の蓄電装置等との接続に用いられる端子台を備えた蓄電装置に関する。
【背景技術】
【０００２】
従来から、多数の電池セルを備えるバッテリシステムが知られている（特許文献１参照）。具体的に、このバッテリシステムは、電極端子を有する複数の電池セルが積層される電池ブロックと、電池ブロックの対向面にあって積層された電池セルを積層方向に挟着して固定する一対のエンドプレートと、一対のエンドプレートを連結する連結具と、を備える。
【０００３】
このバッテリシステムでは、出力ラインは、中継バスバを介して電池セルの電極端子に接続されている。詳しくは、エンドプレートに非回転状態で固定されたナットに止ネジがねじ込まれており、この止ネジとナットとによって中継バスバと出力ラインの接続端子とが接続されている。
【０００４】
このようなバッテリシステムにおいて、出力ラインの接続端子との接続部位（止めネジとナット）の配置についての設計の自由度を高めるために、エンドプレート等に端子台を取り付けることが考えられる。この端子台は、図２２に示すように、出力ライン８００等が接続可能な外部端子（上述のバッテリシステムにおけるナット８０１及び止ネジ８０２に相当）と、電池セルの電極端子８０３と前記外部端子とを導通可能に接続する中継バスバ８０４と、前記外部端子及び中継バスバ８０４をエンドプレート８０５等に対して絶縁した状態で固定する基台部８０６とを、有する。この中継バスバ８０４の長さや形状等の設定によって、エンドプレート８０５や連結具等の設計を変更しなくても、出力ライン８００の接続端子８００Ａとの接続部位の位置を所望する位置としたバッテリシステムが得られる。
【０００５】
しかし、このような端子台を備えるバッテリシステムでは、例えば、振動の多い車両等に搭載されると、車両等の振動がエンドプレート８０５等を介して端子台に伝わり、中継バスバ８０４等が振動する場合がある。このように中継バスバ８０４が振動すると、該中継バスバ８０４に接続された電池セルの電極端子８０３等に前記振動が伝わって、中継バスバ８０４の周辺の部材（中継バスバ８０４が接続される電池セルの電極端子８０３等）に応力が生じる等の影響が及ぶことがある。
【先行技術文献】
【特許文献】
【０００６】
【特許文献１】特開２０１０−８０３５３号公報
【発明の概要】
【発明が解決しようとする課題】
【０００７】
そこで、本発明は、終端部材に取り付けられる端子台において出力端子と電気的に接続される導電部材の変位を抑えることができる蓄電装置を提供することを課題とする。
【課題を解決するための手段】
【０００８】
本発明に係る蓄電装置は、
第一外部端子を有する蓄電素子と、
前記蓄電素子と隣り合う終端部材と、
第二外部端子、該第二外部端子と前記第一外部端子とを電気的に接続する導電部材、前記導電部材を保持する基台部、前記導電部材と前記基台部と前記終端部材とを貫通した状態で締結する金属製のリベット、及び前記リベットと前記導電部材における該リベットの貫通している穴の内周面との間に配置される絶縁部材を有する端子台と、を備え、
前記基台部は、
前記終端部材に固定され、且つ前記導電部材に対して前記終端部材が位置する側において該導電部材を支持する支持部と、
前記支持部との間に前記導電部材の少なくとも一部を挟み込む押さえ部と、を有する。
【０００９】
かかる構成によれば、基台部において、終端部材に対して固定された支持部（終端部材側）に導電部材が支持された状態でその少なくとも一部を押さえ部によって該支持部との間に挟み込まれているため、導電部材の変位（詳しくは、終端部材から離間する方向への変位）が効果的に抑えられる。
【００１０】
さらに、かかる構成によれば、絶縁部材によってリベットと導電部材との間の絶縁性を維持しつつ、硬い金属製のリベットによって導電部材と基台部を終端部材に強固に締結することで導電部材の振動をより確実に抑えることができる。
【００１１】
また、前記蓄電装置では、
前記導電部材は、所定の方向に延び且つ前記支持部を介して前記終端部材に固定される第一部位と、前記所定の方向と交差する方向に前記第一部位から延びる第二部位と、を有し、
前記押さえ部は、前記第一部位の少なくとも一部を前記支持部との間に挟み込み、
前記第二外部端子は、前記第二部位から突出するネジ部を有してもよい。
【００１２】
かかる構成によれば、第二外部端子に外部からの接続端子等を接続するためにネジ部にナット等を締め付けたときに第二部位において生じたトルクによって該第二部位と連続する第一部位が傾く等によりその一部が支持部から離間しようとするが、第一部位が押さえ部によって支持部との間に挟み込まれているため、前記トルクに起因する第一部位の前記離間（がたつき等）を防ぐことができる。
【００１３】
この場合、
前記導電部材の前記第二部位は、前記ネジ部が突出する方向視において非円形の輪郭を有し、
前記基台部は、前記ネジ部を回転軸とするトルクと交差する方向に広がり且つ前記導電部材の前記輪郭を構成する端面の少なくとも一部と面接触する当接面を有する、ことが好ましい。
【００１４】
かかる構成によれば、第二外部端子に外部からの接続端子等を接続するためにネジ部にナット等を締め付けるときに第二部位（導電部材）においてネジ部を回転軸とするトルクが生じても、該トルクと交差する方向に広がる当接面が第二部位の周端面に面接触して前記トルクを受け止めることで、第二部位（導電部材）の前記トルクに起因する回転を防ぐことができる。
【００１５】
また、前記蓄電装置では、
前記端子台は、前記絶縁部材と前記リベットとの間で該リベットを囲む金属製の筒状部材を有してもよい。
【００１６】
かかる構成によれば、リベットにおける導電部材、基台部、及び終端部材を貫通している部位を囲むように金属製の筒状部材が配置されているため、その外側に配置されている絶縁部材にリベットからの応力が伝わるのが防がれ、これにより、前記応力によって絶縁部材が変形することを防ぐことができる。
【００１７】
また、前記蓄電装置では、
前記基台部と前記絶縁部材とが一体であってもよい。
【００１８】
かかる構成によれば、導電部材における穴（リベットが挿通される穴）の内周面と絶縁部材との間に隙間が形成されることが抑制され、これにより、リベットと導電部材との間の絶縁性が効果的に維持される。
【００１９】
また、前記蓄電装置では、
前記リベットは、前記導電部材と前記基台部と前記終端部材とを貫通する軸部と、前記軸部における該軸部の貫通方向に間隔をあけた位置で前記貫通方向と直交する面方向にそれぞれ広がり、且つその間に前記導電部材と前記基台部と前記終端部材とを挟み込む一対の大径部と、を有し、
前記絶縁部材は、
前記軸部の周囲を囲む第一筒部と、前記リベットの一方の大径部と該一方の大径部と隣り合う前記導電部材、前記基台部、又は前記終端部材との間において前記第一筒部の端部から広がる第一鍔部と、を有する第一部材と、
前記第一筒部と前記リベットの貫通している穴の内周面との間において該第一筒部を囲う第二筒部と、前記リベットの他方の大径部と該他方の大径部と隣り合う前記導電部材、前記基台部、又は前記終端部材との間において前記第二筒部の端部から広がる第二鍔部と、を有する第二部材と、を有してもよい。
【００２０】
かかる構成によれば、大径部と、該大径部と隣り合う部材（導電部材、基台部、又は終端部材）との間に絶縁部材（第一絶縁部材、又は第二絶縁部材）の鍔部が配置されているため、リベットと導電部材との間、リベットと終端部材との間の沿面距離を十分に確保することができる。
【００２１】
また、本発明に係る蓄電装置は、
第一外部端子を有する蓄電素子と、
前記蓄電素子と隣り合う終端部材と、
第二外部端子、該第二外部端子と前記第一外部端子とを電気的に接続する導電部材、及び前記導電部材を保持する基台部、を有する端子台と、を備え、
前記基台部は、
前記終端部材に固定され、且つ前記導電部材に対して前記終端部材が位置する側において該導電部材を支持する支持部と、
前記支持部との間に前記導電部材の少なくとも一部を挟み込む押さえ部と、を有し、
前記第二外部端子は、前記導電部材から突出するネジ部を有し、
前記導電部材は、前記ネジ部と直交する面方向に広がる板状の部材であり、且つ前記ネジ部が突出する方向視において非円形の輪郭を有し、
前記基台部は、前記ネジ部を回転軸とするトルクと交差する方向に広がり且つ前記導電部材の前記輪郭を構成する端面の少なくとも一部と面接触する当接面を有し、
前記当接面は、前記板状の導電部材の周端面と全周に亘って面接触し且つ前記押さえ部と一体に構成される。
【００２２】
かかる構成によれば、第二外部端子に外部からの接続端子等を接続するためにネジ部にナット等を締め付けるときに導電部材にネジ部を回転軸とするトルクが生じても、該トルクと交差する方向に広がる部位を有する当接面が非円形の輪郭を有する導電部材と全周に亘って当接（該導電部材の周端面に面接触）して前記トルクを受け止めることで、導電部材の前記トルクに起因する回転を防ぐことができる。
【００２３】
しかも、押さえ部と当接面とが一体であるため、板状の導電部材の端面（即ち、厚さ方向の寸法の小さな周端面）と基台部の当接面とが該周端面の全周に亘って面接触しつつ、押さえ部が導電部材を支持部との間に確実に挟み込む。これにより、第二外部端子に外部からの接続端子等を接続するときに生じるトルクに起因する導電部材の回転がより確実に防がれる。
【００２４】
また、前記蓄電装置では、
前記端子台は、
前記導電部材と前記基台部と前記終端部材とを貫通した状態で締結し且つ金属製のリベットと、
前記リベットと前記導電部材における該リベットの貫通している穴の内周面との間に配置される絶縁部材と、を有してもよい。
【００２５】
かかる構成によれば、絶縁部材によってリベットと導電部材との間の絶縁性を維持しつつ、硬い金属製のリベットによって導電部材と基台部を終端部材に強固に締結することで導電部材の振動をより確実に抑えることができる。
【００２６】
また、前記蓄電装置において、
前記端子台は、前記導電部材と前記基台部とが一体化されたインサート成形品であってもよい。
【００２７】
かかる構成によれば、導電部材に押さえ部を確実に接触させることができるため、導電部材の変位をより確実に抑制することができる。
【発明の効果】
【００２８】
以上より、本発明によれば、終端部材に取り付けられる端子台において出力端子と電気的に接続される導電部材の変位を抑えることができる蓄電装置を提供することができる。
【図面の簡単な説明】
【００２９】
【図１】図１は、第一実施形態に係る蓄電装置の斜視図である。
【図２】図２は、前記蓄電装置の分解斜視図である。
【図３】図３は、前記蓄電装置に用いられる蓄電素子の斜視図である。
【図４】図４は、前記蓄電素子の分解斜視図である。
【図５】図５は、前記蓄電装置における端子台及び終端部材の斜視図である。
【図６】図６は、端子カバーが開いた状態の前記端子台及び前記終端部材の斜視図である。
【図７】図７は、前記端子台及び前記終端部材の斜視図である。
【図８】図８は、前記終端部材の斜視図である。
【図９】図９は、前記端子カバーを外した状態の前記端子台、及び前記終端部材の平面図である。
【図１０】図１０は、図９におけるＸ−Ｘ線位置の断面図である。
【図１１】図１１は、図９におけるＸＩ−ＸＩ線位置での前記端子台及びその周辺部位の断面図である。
【図１２】図１２は、第二実施形態に係る蓄電装置の斜視図である。
【図１３】図１３は、前記蓄電装置の分解斜視図である。
【図１４】図１４は、前記蓄電装置における端子台及び終端部材の斜視図である。
【図１５】図１５は、前記端子台及び前記終端部材の斜視図である。
【図１６】図１６は、前記端子台及び前記終端部材の平面図である。
【図１７】図１７は、図１６におけるＸＶＩＩ−ＸＶＩＩ線位置の断面図である。
【図１８】図１８は、終端部材と他実施形態に係る端子台との接続部位の断面図である。
【図１９】図１９は、他実施形態に係る終端部材と端子台との接続部の断面図である。
【図２０】図２０は、他実施形態に係る終端部材と端子台との接続部の断面図である。
【図２１】図２１は、他実施形態に係る終端部材と端子台との接続部の断面図である。
【図２２】図２２は、従来のバッテリシステムの端子台周辺部位の斜視図である。
【発明を実施するための形態】
【００３０】
以下、本発明の第一実施形態について、図１〜図１１を参照しつつ説明する。尚、本実施形態の各構成部材（各構成要素）の名称は、本実施形態におけるものであり、背景技術における各構成部材（各構成要素）の名称と異なる場合がある。
【００３１】
蓄電装置は、図１及び図２に示すように、外部端子（第一外部端子）１３を有する蓄電素子１０と、該蓄電素子１０と隣り合う終端部材３０と、外部端子１３に接続されるバスバ５と、終端部材３０に取り付けられ且つ外部端子（第二外部端子）６１を有する端子台（端子部）６と、を備える。また、蓄電装置１は、蓄電素子１０と隣り合うスペーサ２Ａ、２Ｂと、を備える。本実施形態の蓄電装置１では、終端部材３０は、蓄電素子１０及びスペーサ２Ａ、２Ｂをひとまとめに保持する保持部材３に含まれる。即ち、蓄電装置１は、終端部材３０を含み且つ蓄電素子１０を保持する保持部材３を備える。この保持部材３は、金属等の導電性を有する部材によって構成されている。これに伴い、蓄電装置１は、蓄電素子１０と保持部材３との間に配置されるインシュレータ４を備える。
【００３２】
以下では、蓄電素子１０の外部端子を「セル端子１３」と称し、蓄電装置１の端子台６に設けられた外部端子を「モジュール端子６１」と称する。
【００３３】
蓄電素子１０は、図３及び図４にも示すように、正極及び負極を含む電極体１１と、電極体１１を収容するケース１２と、ケース１２の外面上に配置された一対のセル端子１３と、を備える。また、蓄電素子１０は、電極体１１とケース１２との間に配置される絶縁部材１５等も備える。
【００３４】
ケース１２は、開口を有するケース本体１２０と、ケース本体１２０の開口を閉じる蓋板１２１と、を有する。
【００３５】
ケース本体１２０は、板状の閉塞部１２３と、閉塞部１２３の周縁に接続された筒状の胴部１２４と、を備える。
【００３６】
胴部１２４は、間隔をあけて互いに対向する一対の第一壁１２５と、一対の第一壁１２５を挟んで互いに対向する一対の第二壁１２６と、を備える。第一壁１２５及び第二壁１２６のそれぞれは、矩形状である。第一壁１２５及び第二壁１２６は、互いの端縁を突き合わせた状態で隣り合う。隣り合う第一壁１２５及び第二壁１２６の端縁同士は、全長に亘って接続されている。これにより、胴部１２４は、角筒状となる。胴部１２４の一端は、閉塞部１２３によって閉塞され、胴部１２４の他端は、開口する。即ち、ケース本体１２０は、有底角筒形状を有する。本実施形態の胴部１２４は、扁平な角筒状に形成されている。
【００３７】
蓋板１２１は、ケース本体１２０の開口を塞ぐ板状の部材である。具体的に、蓋板１２１は、法線方向視において、ケース本体１２０の開口周縁部に対応した輪郭形状を有する。即ち、蓋板１２１は、法線方向視において、一方向（一対の第二壁１２６が対向する方向）に長い矩形状の板材である。
【００３８】
本実施形態のケース１２では、蓋板１２１の周縁部がケース本体１２０の開口周縁部に重ねられて該ケース本体１２０の開口が塞がれ、この状態で、蓋板１２１とケース本体１２０との境界部が溶接されている。
【００３９】
本実施形態の蓄電装置１は、上述のように、一方向に整列する複数の蓄電素子１０を備える。複数の蓄電素子１０のそれぞれは、ケース１２の第一壁１２５を一方向に向けて整列している。
【００４０】
尚、以下の説明では、蓄電素子１０の整列する方向（第一方向）を直交座標におけるＸ軸方向とする。また、蓄電素子１０の第二壁１２６の対向する方向（第二方向）を直交座標におけるＹ軸方向とし、蓋板１２１と閉塞部１２３との対向する方向（第三方向）を直交座標におけるＺ軸方向とする。これに伴い、各図面に、Ｘ軸方向、Ｙ軸方向、及びＺ軸方向のそれぞれに対応する直交座標軸を補助的に図示する。
【００４１】
本実施形態の蓄電装置１は、２種類のスペーサ２Ａ、２Ｂを備える。具体的に、蓄電装置１は、隣り合う二つの蓄電素子１０の間に配置される内部スペーサ２Ａと、複数の蓄電素子１０のうちの最も端にある蓄電素子１０と隣り合う外部スペーサ２Ｂと、を備える。
【００４２】
内部スペーサ２Ａは、図２に示すように、蓄電素子１０（詳しくは、ケース本体１２０の第一壁１２５）に隣り合うベース２０Ａと、該ベース２０Ａと隣り合う二つの蓄電素子１０の該ベース２０Ａに対する位置ずれを防止する規制部２１Ａと、を有する。
【００４３】
内部スペーサ２Ａのベース２０Ａは、蓄電素子１０の間においてＸ軸方向と直交する方向（Ｙ−Ｚ面（Ｙ軸及びＺ軸を含む面）方向）に広がり、且つＸ軸方向の両側において隣り合う蓄電素子１０の少なくとも一方との間に流体（例えば、蓄電素子１０の温度調整用の流体）が流通可能な流路を形成する。また、ベース２０Ａは、Ｘ軸方向視において略矩形状の輪郭を有する。この輪郭は、Ｘ軸方向視において、蓄電素子１０の第一壁１２５と略同じ大きさである。
【００４４】
規制部２１Ａは、ベース２０Ａと隣り合う蓄電素子１０におけるＹ軸方向の端部に沿って該ベース２０ＡからＸ軸方向の両側に向けてそれぞれ延びている。具体的に、規制部２１Ａは、ベース２０Ａの各角部に形成される。即ち、内部スペーサ２Ａは、複数（本実施形態の例では四つ）の規制部２１Ａを有する。これらの規制部２１Ａは、上述のように、ベース２０Ａに隣り合う二つの蓄電素子１０の該ベース２０Ａに対するＹ−Ｚ面方向の位置ずれを防止する。これにより、規制部２１Ａは、内部スペーサ２Ａと隣り合う二つの蓄電素子１０のＹ−Ｚ面方向の相対移動を規制する。
【００４５】
外部スペーサ２Ｂは、蓄電素子１０を介して該内部スペーサ２Ａと隣り合うように配置される。本実施形態の蓄電装置１は、一対の外部スペーサ２Ｂを備える。一対の外部スペーサ２Ｂのぞれぞれは、複数の蓄電素子１０のうちの最も端にある蓄電素子１０に隣り合う。即ち、外部スペーサ２Ｂは、Ｘ軸方向に整列する複数の蓄電素子１０を挟み込むように一対設けられる。
【００４６】
具体的に、外部スペーサ２Ｂは、Ｙ−Ｚ面方向に広がるベース２０Ｂと、該ベース２０Ｂに隣り合う蓄電素子１０の位置ずれを規制する規制部２１Ｂとを有する。本実施形態の外部スペーサ２Ｂのベース２０Ｂは、保持部材３が含む終端部材３０と対向する（隣り合う）。即ち、外部スペーサ２Ｂは、蓄電素子１０と終端部材３０との間に配置される。
【００４７】
外部スペーサ２Ｂのベース２０Ｂは、Ｙ−Ｚ面方向に広がるプレート状のベース本体２０１Ｂと、ベース本体２０１Ｂの一方の面から終端部材３０に向けて突出し且つ終端部材３０に当接する外部接触部２０２Ｂと、ベース２０Ｂの他方の面から蓄電素子１０に向けて突出し且つ該蓄電素子１０に当接する内部接触部２０３Ｂ（図１参照）と、を有する。
【００４８】
ベース２０Ｂは、内部接触部２０３Ｂによって、該ベース２０Ｂと隣り合う蓄電素子１０との間に、前記流体を通過させるための流路を形成する。また、ベース２０Ｂは、外部接触部２０２Ｂによって、ベース本体２０１Ｂと終端部材３０との間に隙間を形成する。
【００４９】
規制部２１Ｂは、ベース２０Ｂと隣り合う蓄電素子１０に向かって延びる。規制部２１Ｂは、ベース２０Ｂ（詳しくは、ベース本体２０１Ｂ）の各角部に形成される。この規制部２１Ｂは、上述のように、ベース２０Ｂと隣り合う蓄電素子１０の該ベース２０Ｂに対するＹ−Ｚ面方向の位置ずれを防止する。即ち、規制部２１Ｂは、外部スペーサ２Ｂと、該外部スペーサ２Ｂと隣り合う蓄電素子１０とのＹ−Ｚ面方向の相対移動を規制する。
【００５０】
保持部材３は、図１及び図２に示すように、各外部スペーサ２Ｂと隣り合う位置のそれぞれに配置される一対の終端部材３０と、該一対の終端部材３０のそれぞれを接続するフレーム３１と、を備える。
【００５１】
一対の終端部材３０のそれぞれは、図５〜図８にも示すように、Ｙ−Ｚ面方向に広がる。一対の終端部材３０のそれぞれは、蓄電素子１０と対応する輪郭（本実施形態では矩形状の輪郭）を有する本体３００と、本体３００から外部スペーサ２Ｂのベース２０Ｂに向けて突出し且つ該ベース２０Ｂから延びる外部接触部２０２Ｂに当接する圧接部３０１と、端子台６が取り付けられる支持片３０２と、端子台６を支持するステー３０３と、を有する。本実施形態の終端部材３０は、上述のように、金属製である。
【００５２】
支持片３０２は、本体３００の輪郭を構成する四つの辺（端縁）のうちの蓄電素子１０の蓋板１２１と対応する辺から、Ｘ軸方向及びＹ軸方向に延び且つＹ軸方向に長い板状の部位である。
【００５３】
ステー３０３は、本体３００における支持片３０２が延びている辺（端縁）の近傍から延びるＬ字状の板状部材である。ステー３０３の先端部（屈曲している位置より先端側の部位）には、Ｚ軸方向からみて矩形状の内周面３０４によって画定された穴３０５が設けられている。即ち、ステー３０３は、先端部において、Ｚ軸方向に貫通する穴３０５を画定する内周面３０４を有する。
【００５４】
フレーム３１は、図１及び図２に示すように、Ｘ軸方向に延び、一対の終端部材３０同士を接続する。本実施形態の保持部材３では、フレーム３１は、一対の終端部材３０（本体３００）のＹ軸方向の両端同士をそれぞれ接続する。即ち、保持部材３は、一対のフレーム３１を有する。
【００５５】
具体的に、フレーム３１は、Ｚ軸方向における蓄電素子１０の蓋板１２１と対応する位置においてＸ軸方向に延びる第一接続部３１０と、Ｚ軸方向における蓄電素子１０の閉塞部１２３と対応する位置においてＸ軸方向に延びる第二接続部３１１と、を有する。また、フレーム３１は、Ｚ軸方向に延び且つ第一接続部３１０と第二接続部３１１とのＸ軸方向の端部同士を接続する一対の支持部３１２を有する。また、フレーム３１は、Ｚ軸方向に延び且つ第一接続部３１０と第二接続部３１１とのＸ軸方向の中間部位同士を接続する補強部３１３を有する。このように、第一接続部３１０と第二接続部３１１との端部同士を一対の支持部３１２が接続することによって、フレーム３１は、枠体状に形成される。
【００５６】
インシュレータ４は、絶縁性を有する材料で構成されている。このインシュレータ４は、導電性を有するフレーム３１と、複数の蓄電素子１０との間に配置される。具体的に、インシュレータ４は、Ｘ軸方向に延び、且つ第一接続部３１０と複数の蓄電素子１０との間に配置される第一絶縁部４０と、Ｘ軸方向に延び、且つ第二接続部３１１と前記複数の蓄電素子１０との間に配置される第二絶縁部４１と、を有する。また、インシュレータ４は、Ｚ軸方向に延び、且つ、支持部３１２と蓄電素子１０との間に配置される一対の第三絶縁部４２を有する。さらに、インシュレータ４は、Ｚ軸方向に延び、且つ補強部３１３と蓄電素子１０との間に配置される第四絶縁部４３を有する。一対の第三絶縁部４２のそれぞれは、第一絶縁部４０と第二絶縁部４１とのＸ軸方向の端部同士を接続する。また、第四絶縁部４３は、Ｘ軸方向における補強部３１３と対応する位置において第一絶縁部４０と第二絶縁部４１とを接続する。
【００５７】
バスバ５は、金属等の導電性を有する部材によって構成された薄板状の部材である。本実施形態のバスバ５は、蓄電素子１０のセル端子１３同士を接続する中間バスバ５１と、蓄電素子１０のセル端子１３と端子台６とを接続する端部バスバ５２とを有する。
【００５８】
端子台６は、図５〜図１１にも示すように、外部機器、他の蓄電装置等と接続されるモジュール端子６１と、モジュール端子６１とセル端子１３とを電気的に接続する導電部材６２と、導電部材６２を保持し且つ絶縁性を有する基台部６３と、を有する。また、端子台６は、蓄電装置１の不使用時等にモジュール端子６１が人や他の部材等と接触するのを防ぐために該モジュール端子６１を覆う端子カバー６４も有する。本実施形態の端子台６は、インサート成形によって形成されている。このため、端子台６において、導電部材６２と基台部６３とが一体となっている。
【００５９】
導電部材６２は、導電性を有する板状の部材である。本実施形態の導電部材６２は、Ｙ軸方向から見てＬ字状の板状の部材、即ち、中間位置で屈曲している板状の部材である。具体的に、導電部材６２は、所定の方向（本実施形態の例ではＸ軸方向）に延び且つ基台部６３を介して終端部材３０に固定される第一部位６２１と、第一部位６２１から前記所定の方向と交差する方向（本実施形態の例ではＺ軸方向）に延びる第二部位６２２と、を有する。
【００６０】
第一部位６２１は、Ｘ−Ｙ面（Ｘ軸とＹ軸とを含む面）方向に広がる板状の部位である。本実施形態の第一部位６２１は、Ｙ軸方向に長い板状の部位である（図９参照）。この第一部位６２１では、一部が基台部６３に覆われ、基台部６３に覆われていない部位には、端部バスバ５２が接続（本実施形態の例では、溶接）されている（図１参照）。
【００６１】
第二部位６２２は、第一部位６２１のＸ軸方向の端縁から延び且つＹ−Ｚ面方向に広がる板状の部位である。この第二部位６２２は、Ｘ軸方向視において非円形の輪郭を有する。この輪郭は、第二部位６２２の周端面（端面）によって構成される。具体的に、第二部位６２２は、モジュール端子６１が突出する矩形状の部位６２２１と、矩形状の部位６２２１の先端（Ｚ軸方向の先端）から延び且つ矩形状の部位６２２１よりＹ軸方向の寸法の小さな差込片６２２２と、を有する（図１０参照）。矩形状の部位６２２１の中央部からモジュール端子６１が突出している。
【００６２】
モジュール端子６１は、導電部材６２（本実施形態の例では、第二部位６２２）から突出するネジ部６１１を有する。具体的に、モジュール端子６１は、Ｘ軸方向に延びるネジ部６１１と、ネジ部６１１の一端においてＹ−Ｚ面方向に広がる頭部６１２と、を有する。このモジュール端子６１は、金属等の導電性を有する部材によって構成されている。
【００６３】
基台部６３は、終端部材３０に固定され、且つ導電部材６２に対して終端部材３０が位置する側において該導電部材６２を支持する支持部６３０と、支持部６３０との間に導電部材６２の少なくとも一部を挟み込む押さえ部６３５と、を有する。本実施形態の基台部６３は、支持部６３０と押さえ部６３５とが一体成形された樹脂製である。
【００６４】
支持部６３０は、導電部材６２の第一部位６２１を支持する第一支持部６３１と、導電部材６２の第二部位６２２を支持する第二支持部６３２とを有する。
【００６５】
第一支持部６３１は、導電部材６２の第一部位６２１が嵌り込む凹部６３３を有する。この凹部６３３は、Ｚ軸方向において終端部材３０側から第一部位６２１と面接触するように該第一部位６２１を支持する支持面６３３１と、支持面６３３１の周縁から立設され且つ第一部位６２１の周端面（端面）６２１０の少なくとも一部と面接触する当接面６３３２と、を有する。本実施形態の当接面６３３２は、第二部位６２２との接続部位を除いた第一部位６２１の周縁の全域において、第一部位６２１の周端面６２１０と面接触している。
【００６６】
第二支持部６３２は、第一支持部６３１のＸ軸方向の端部から終端部材３０のステー３０３に沿ってＺ軸方向に延びている。この第二支持部６３２は、Ｘ軸方向の終端部材３０側から第二部位６２２を支持している。また、第二支持部６３２は、ネジ部６１１を回転軸とするトルクと交差する方向に広がり且つ導電部材６２の第二部位６２２の輪郭を構成する周端面（端面）６２２０の少なくとも一部と面接触する当接面６３２０を有している。本実施形態の第二支持部６３２は、第二部位６２２における第一部位６２１との接続部位を除く周端面（端面）６２２０の全域と面接触する当接面６３２０を有している。また、第二支持部６３２の先端部（Ｚ軸方向における第一支持部６３１とは反対側の端部）は、第二部位６２２の差込片６２２２を覆い、ステー３０３の先端部に設けられた穴３０５内に該差込片６２２２と共に挿入されている（図１０参照）。また、第二支持部６３２は、導電部材６２の第二部位６２２から突出するネジ部６１１（モジュール端子６１）が間に位置するように互いに対向する一対の側壁部６３２１を有する（図９参照）。一方の側壁部６３２１のＸ軸方向の端縁部において、端子カバー６４が前記端縁部に沿って延びる所定の軸（本実施形態の例では、Ｚ軸方向に延びる軸）Ｃを回転中心に回動可能に取り付けられている（図５及び図６参照）。この端子カバー６４が閉じた状態（一対の側壁部６３２１の端縁間に掛け渡された状態：図５参照）では、一対の側壁部６３２１と該端子カバー６４とによってモジュール端子６１が囲われる。一方、端子カバー６４が開いた状態（所定の軸Ｃを回転中心にして回動した状態：図６参照）では、モジュール端子６１の先端側が開放された状態となる。
【００６７】
押さえ部６３５は、第一支持部６３１との間に第一部位６２１の一部を挟み込んでいる。本実施形態の押さえ部６３５は、第一支持部６３１との間に、第一部位６２１におけるＹ軸方向の一方（Ｙ軸方向における終端部材の中心側）の端部とＸ軸方向の外側の端部とを挟み込んでいる。
【００６８】
以上のような支持部６３０と押さえ部６３５とを有する基台部６３は、金属製のリベット６５によって終端部材３０の支持片３０２に固定されている（図９及び図１１参照）。即ち、リベット６５は、基台部６３（詳しくは、第一支持部６３１）と終端部材３０（詳しくは、支持片３０２）とを貫通した状態で、これら基台部６３と終端部材３０とを締結している。本実施形態のリベット６５は、基台部６３における導電部材６２が配置されていない部位を貫通している。
【００６９】
以上の蓄電装置１によれば、基台部６３において終端部材３０に対して固定された支持部６３０（詳しくは、第一支持部６３１）に導電部材６２（詳しくは、第一部位６２１）が支持された状態でその少なくとも一部を押さえ部６３５によって該支持部６３０との間に挟み込まれているため、導電部材６２の変位（詳しくは、終端部材３０から離間する方向への変位）が効果的に抑えられる。
【００７０】
本実施形態の蓄電装置１は、終端部材３０を含み且つ蓄電素子１０を保持する保持部材３を備えている。このように、蓄電装置１が保持部材３を備えることで、終端部材３０だけでなく該終端部材３０を含む保持部材３の各部位に伝わった振動等も端子台６に伝わる。このため、蓄電装置１が搭載された機器等の振動等が端子台６により伝わり易くなるが、導電部材６２の少なくとも一部（本実施形態の例では、第一部位６２１の一部）が押さえ部６３５によって支持部６３０との間に挟み込まれているため、前記振動等に起因する導電部材６２の変位がより効果的に抑えられる。
【００７１】
本実施形態の蓄電装置１では、導電部材６２がＸ軸方向に延びる第一部位６２１と第一部位６２１からＺ軸方向に延びる第二部位６２２とを有し、モジュール端子６１のネジ部６１１が第二部位６２２から突出している。また、基台部６３において、押さえ部６３５が第一部位６２１の少なくとも一部を支持部６３０との間に挟み込んでいる。このため、モジュール端子６１に外部からの接続端子等を接続するためにネジ部６１１にナット等を締め付けたときに第二部位６２２において生じたトルクによって該第二部位６２２と連続する第一部位６２１が支持部６３０に対して傾いてその一部が支持部６３０から離間しようとする。しかし、第一部位６２１が押さえ部６３５によって支持部６３０との間に挟み込まれているため、前記トルクに起因する第一部位６２１の前記離間（がたつき等）を防ぐことができる。
【００７２】
本実施形態の蓄電装置１では、導電部材６２の第二部位６２２が、Ｘ軸方向視において非円形の輪郭を有し、基台部６３の第二支持部６３２が、ネジ部６１１を回転軸とするトルクと交差する方向に広がり且つ第二部位６２２（導電部材６２）の前記輪郭を構成する周端面６２２０と面接触する当接面６３２０を有している。このため、モジュール端子６１に外部からの接続端子等を接続するためにネジ部６１１にナット等を締め付けるときに第二部位６２２にネジ部６１１を回転軸とするトルクが生じても、該トルクと交差する方向に広がる当接面６３２０が第二部位６２２の周端面６２２０に面接触して前記トルクを受け止める。その結果、第二部位６２２（導電部材６２）の前記トルクに起因する回転を防ぐことができる。
【００７３】
次に、本発明の第二実施形態について図１２〜図１７も参照しつつ説明する。尚、本実施形態に係る蓄電装置は、第一実施形態の蓄電装置１とは端子台の構成のみが異なっているため、以下では、上記第一実施形態の蓄電装置１と同様の構成には同一符号を用いて詳細な説明を省略し、異なる構成である端子台についてのみ詳細に説明する。
【００７４】
蓄電装置は、図１２及び図１３に示すように、セル端子（第一外部端子）１３を有する蓄電素子１０と、蓄電素子１０と隣り合うスペーサ２Ａ、２Ｂと、蓄電素子１０及びスペーサ２Ａ、２Ｂをひとまとめに保持し且つ終端部材３０を有する保持部材３と、セル端子１３に接続されるバスバ５と、終端部材３０に取り付けられる端子台（端子部）２０６と、を備える。また、蓄電装置１は、蓄電素子１０と保持部材３との間に配置されるインシュレータ４を備える。
【００７５】
端子台２０６は、図１４〜図１７にも示すように、モジュール端子６１と、モジュール端子６１とセル端子１３とを電気的に接続する導電部材２６２と、導電部材２６２を保持する基台部２６３と、を有する。本実施形態の端子台２０６は、インサート成形によって形成されている。このため、端子台２０６において、導電部材２６２と基台部２６３とが一体となっている。
【００７６】
導電部材２６２は、導電性を有する板状の部材である。本実施形態の導電部材２６２は、Ｘ−Ｙ面方向に広がる板状の部材であり、Ｙ軸方向に長い。この導電部材２６２では、一部が基台部２６３に覆われ、基台部２６３に覆われていない部位には、端部バスバ５２が接続（本実施形態の例では、溶接）されている（図１２参照）。また、導電部材２６２からモジュール端子６１のネジ部６１１が突出している。本実施形態のネジ部６１１は、導電部材２６２の中央部からＺ軸方向に突出している。この導電部材２６２は、図１６に示すように、ネジ部６１１が突出する方向視において非円形の輪郭を有する。この輪郭は、導電部材２６２の周端面（端面）２６２０によって構成される。
【００７７】
基台部２６３は、終端部材３０に固定され、且つ導電部材２６２に対して終端部材３０が位置する側において該導電部材２６２を支持する支持部２６３０と（図１７参照）、支持部２６３０との間に導電部材２６２の少なくとも一部を挟み込む押さえ部２６３５と（図１６参照）、を有する。本実施形態の基台部２６３は、支持部２６３０と押さえ部２６３５とが一体成形された樹脂製である。
【００７８】
支持部２６３０は、導電部材２６２が嵌り込む凹部２６３３を有する。この凹部２６３３は、Ｚ軸方向において終端部材３０側から導電部材２６２と面接触するように該導電部材２６２を支持する支持面２６３３１と、導電部材２６２に生じるネジ部６１１を回転軸とするトルクと交差する方向に広がり且つ周端面２６２０の少なくとも一部と面接触する当接面２６３３２と、を有する。本実施形態の当接面２６３３２は、支持面２６３３１の周縁から立設され且つ導電部材２６２の周端面２６２０と全周に亘って面接触している。
【００７９】
押さえ部２６３５は、支持部２６３０との間に導電部材２６２の一部を挟み込んでいる。本実施形態の押さえ部２６３５は、支持部２６３０との間に、導電部材２６２におけるＹ軸方向の一方（Ｙ軸方向における終端部材３０の中心側）の端部と、他方の端部（モジュール端子６１のネジ部６１１を挟んで反対側の端部）とを挟み込んでいる。
【００８０】
以上のような支持部２６３０と押さえ部２６３５とを有する基台部２６３は、金属製のリベット６５によって終端部材３０の支持片３０２に固定されている（図１６参照）。即ち、リベット６５は、基台部２６３と終端部材３０（支持片３０２）とを貫通した状態で、これら基台部２６３と終端部材３０とを締結している。本実施形態のリベット６５も、第一実施形態と同様に、基台部２６３における導電部材２６２が配置されていない部位を貫通している。
【００８１】
以上の蓄電装置１では、導電部材２６２がネジ部６１１を周方向に囲う非円形の周端面２６２０を有し、基台部２６３がネジ部６１１を回転軸とするトルクと交差する方向に広がり且つ周端面２６２０における前記トルクと公差する方向に広がる部位の少なくとも一部と面接触する当接面２６３３２を有している。このため、モジュール端子６１に外部からの接続端子等を接続するためにネジ部６１１にナット等を締め付けるときに導電部材２６２にネジ部６１１を回転軸とするトルクが生じても、該トルクと交差する方向に広がる当接面２６３３２が導電部材２６２の周端面２６２０に面接触して前記トルクを受け止めることで、導電部材２６２の前記トルクに起因する回転を防ぐことができる。
【００８２】
しかも、本実施形態の蓄電装置１では、端子台２０６が、導電部材２６２と基台部２６３とが一体であるインサート成形品であるため、板状の導電部材２６２の周端面（即ち、厚さ方向の寸法の小さな周端面）２６２０と基台部２６３の当接面２６３３２とが該周端面２６２０の全周に亘って確実に面接触している。これにより、モジュール端子６１に外部からの接続端子等を接続するときに生じるトルクに起因する導電部材２６２の回転がより確実に防がれる。
【００８３】
尚、本発明の蓄電装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００８４】
上記第一及び第二実施形態の端子台６、２０６では、リベット６５が、基台部６３、２６３と終端部材３０（支持片３０２）とを貫通した状態で、これら基台部６３、２６３と終端部材３０とを締結しているが、この構成に限定されない。例えば、図１８に示すように、リベット６５が、導電部材６２、２６２と基台部６３、２６３と終端部材３０とを貫通してこれら導電部材６２、２６２と基台部６３、２６３と終端部材３０とを締結する構成でもよい。この場合、リベット６５と、導電部材６２、２６２における該リベット６５の貫通している穴の内周面６２５との間に、絶縁部材７０が配置される。かかる構成によれば、絶縁部材７０によってリベット６５と導電部材６２、２６２との間の絶縁性を維持しつつ、硬い金属製のリベット６５によって導電部材６２、２６２と基台部６３、２６３を終端部材３０に強固に締結することができる。その結果、蓄電装置１において、導電部材６２、２６２の振動をより確実に抑えることができる。
【００８５】
この場合（リベット６５が、導電部材６２、２６２と基台部６３、２６３と終端部材３０とを貫通すると共に、絶縁部材７０が配置される場合）、図１９に示すように、端子台６、２０６は、絶縁部材７０とリベット６５との間において、該リベット６５を囲む（詳しくは、リベット６５の基台部６３、２６３等を貫通する軸状の部位を周方向に囲う）金属製の筒状部材７１を有してもよい。図１９に示す例では、筒状部材７１は、円筒状である。このように、リベット６５における導電部材６２、２６２、基台部６３、２６３、及び終端部材３０を貫通している部位を囲むように金属製の筒状部材７１が配置されることで、その外側に配置されている絶縁部材７０にリベット６５からの応力（リベット６５をかしめる際に生じる応力等）が伝わるのを防ぐことができる。これにより、前記応力によって絶縁部材７０が変形することを防ぐことができる。
【００８６】
また、筒状部材７１が配置される場合、図２０に示すように、基台部６３、２６３と絶縁部材７０とは、一体であってもよい。この場合、端子台６、２０６は、導電部材６２、２６２と基台部６３、２６３と絶縁部材７０とが一体化されたインサート成形品であってもよい。かかる構成によれば、導電部材６２、２６２における穴の内周面６２５と絶縁部材７０との間に隙間が形成されることを抑制できる。その結果、リベット６５と導電部材６２、２６２との間の絶縁性を効果的に維持することができる。尚、筒状部材７１が配置されていない構成であっても、基台部６３、２６３と絶縁部材７０とが一体であってもよい。
【００８７】
また、筒状部材７１の具体的な形状は、限定されない。例えば、絶縁部材７０は、図２１に示すように、複数（図２１に示す例では二つ）の部材によって構成されてもよく、筒状の部位以外の部位（図２１に示す例では鍔状の部位等）を有していてもよい。この絶縁部材７０は、例えば具体的には、以下の通りである。
【００８８】
リベット６５は、導電部材６２、２６２と基台部６３、２６３と終端部材３０とを貫通する軸部６５１と、軸部６５１における該軸部６５１の貫通方向に間隔をあけた位置で前記貫通方向と直交する面方向にそれぞれ広がり、且つその間に導電部材６２、２６２と基台部６３、２６３と終端部材３０とを挟み込む一対の大径部６５２と、を有する。
【００８９】
絶縁部材７０は、第一部材７５と第二部材７６とによって構成される。
【００９０】
第一部材７５は、リベット６５の軸部６５１の周囲を囲む第一筒部７５１と、リベット６５の一方（図２１に示す例では上方）の大径部６５２と該一方の大径部６５２と隣り合う導電部材６２、２６２、基台部６３、２６３、又は終端部材３０（図２１に示す例では、基台部６３、２６３）との間において第一筒部７５１の端部から広がる第一鍔部７５２と、を有する。また、図２１に示す例では、第一部材７５は、第一鍔部７５２からリベット６５の大径部６５２を囲うように立ち上がる（立設される）第一起立部７５３も有している。
【００９１】
第二部材７６は、第一筒部７５１とリベット６５の貫通している穴の内周面６２５との間において該第一筒部７５１を囲う第二筒部７６１と、リベット６５の他方（図２１に示す例では下方）の大径部６５２と該他方の大径部６５２と隣り合う導電部材６２、２６２、基台部６３、２６３、又は終端部材３０（図２１に示す例では、終端部材３０）との間において第二筒部７６１の端部から広がる第二鍔部７６２と、を有する。また、図２１に示す例では、第二部材７６は、第一部材７５と同様に、第二鍔部７６２からリベット６５の大径部６５２を囲うように立ち上がる（立設される）第二起立部７６３も有している。
【００９２】
かかる構成によれば、大径部６５２と、該大径部６５２と隣り合う部材（導電部材６２、２６２、基台部６３、２６３、又は終端部材３０）との間に絶縁部材７０の鍔部（第一部材７５の第一鍔部７５２、又は第二部材７６の第二鍔部７６２）が配置されているため、リベット６５と導電部材６２、２６２との間、リベット６５と終端部材３０との間の沿面距離を十分に確保することができる。しかも、第一部材７５が第一起立部７５３を有し、且つ第二部材７６が第二起立部７６３を有する場合、前記沿面距離がより大きくなる。
【００９３】
また、基台部６３、２６３の終端部材３０への具体的な固定方法は、限定されない。例えば、上記第一及び第二実施形態の蓄電装置１では、基台部６３、２６３が終端部材３０にリベット６５によって固定されているが、他の固定部材、固定方法によって固定されてもよい。例えば具体的には、基台部６３、２６３は、ボルト及びナットを用いて終端部材３０に固定されてもよい。
【００９４】
上記第一及び第二実施形態の蓄電装置１では、端子台６、２０６がインサート成形によって形成されているが、この構成に限定されない。基台部６３、２６３が形成された後、該基台部６３、２６３の凹部６３３、２６３３に導電部材６２、２６２を嵌め込むことによって端子台６、２０６を形成してもよい。
【００９５】
端子台６、２０６の基台部６３、２６３が押さえ部６３５、２６３５及び当接面６３３２、２６３３２を備える場合、端子台６、２０６は、導電部材６２、２６２と、基台部６３、２６３の押さえ部６３５、２６３５及び当接面６３３２、２６３３２とが一体化されたインサート成形品であってもよい。基台部６３、２６３に導電部材６２、２６２を嵌め込む構成の場合、導電部材６２、２６２と押さえ部６３５、２６３５との間又は導電部材６２、２６２と当接面６３３２、２６３３２との間に隙間を形成しないと嵌め込むことが困難となる。一方、上記の構成（インサート成形品）によれば、導電部材６２、２６２と押さえ部６３５、２６３５との間及び導電部材６２、２６２と当接面６３３２、２６３３２との間に隙間が形成されることを抑制できる。その結果、導電部材６２、２６２の変位及びネジ部６１１を回転軸とするトルクに起因する導電部材６２、２６２の回転を効果的に抑えることができる。
【００９６】
導電部材６２、２６２の具体的構成は、限定されない。導電部材６２、２６２の形状（輪郭、折り曲げの角度、折り曲げられる箇所の数等）は、モジュール端子６１のネジ部６１１が貫通する部位と、端部バスバ５２が接続される部位とが確保された状態で、適宜設定される。
【００９７】
上記第一及び第二実施形態の蓄電装置１では、端子台６、２０６において支持部６３０、２６３０と押さえ部６３５、２６３５とが一体であるが、別体であってもよい。
【００９８】
上記第一及び第二実施形態の蓄電装置１では、導電部材６２、２６２と端部バスバ５２とが一体であってもよい。
【００９９】
上記第一及び第二実施形態の蓄電装置１では、モジュール端子６１がネジ部６１１を有するが、モジュール端子６１は、ネジ部６１１を有さず、溶接等によって出力端子と接続されてもよい。
【０１００】
上記第二実施形態の端子台２０６では、基台部２６３の当接面２６３３２が、導電部材２６２の周端面２６２０と全周に亘って面接触しているが、この構成に限定されない。導電部材２６２が非円形の周端面２６２０を有し、且つ、基台部２６３の当接面２６３３２がネジ部６１１を回転軸とするトルクと交差する方向に広がっていれば、該当接面２６３３２は、導電部材２６２の周端面２６２０の一部（複数箇所を含む）のみと面接触していてもよい。かかる構成によっても、モジュール端子６１に外部からの接続端子等を接続するためにネジ部６１１にナット等を締め付けるときに導電部材２６２にネジ部６１１を回転軸とするトルクが生じても、該トルクと交差する方向に広がる当接面２６３３２が導電部材２６２の周端面２６２０に面接触して前記トルクを受け止める。これにより、導電部材２６２の前記トルクに起因する回転を防ぐことができる。
【符号の説明】
【０１０１】
１…蓄電装置、１０…蓄電素子、１１…電極体、１２…ケース、１２０…ケース本体、１２１…蓋板、１２３…閉塞部、１２４…胴部、１２５…第一壁、１２６…第二壁、１３…外部端子（セル端子）、１５…絶縁部材、２Ａ…内部スペーサ、２０Ａ…ベース、２１Ａ…規制部、２Ｂ…外部スペーサ、２０Ｂ…ベース、２０１Ｂ…ベース本体、２０２Ｂ…外部接触部、２０３Ｂ…内部接触部、２１Ｂ…規制部、３…保持部材、３０…終端部材、３００…本体、３０１…圧接部、３０２…支持片、３０３…ステー、３０４…内周面、３０５…穴、３１…フレーム、３１０…第一接続部、３１１…第二接続部、３１２…支持部、３１３…補強部、４…インシュレータ、４０…第一絶縁部、４１…第二絶縁部、４２…第三絶縁部、４３…第四絶縁部、５…バスバ、５１…中間バスバ、５２…端部バスバ、６、２０６…端子台、６１…外部端子（モジュール端子）、６１１…ネジ部、６１２…頭部、６２、２６２…導電部材、２６２０…周端面、６２１…第一部位、６２１０…周端面、６２２…第二部位、６２２０…第二部位の周端面（端面）、６２２１…矩形状の部位、６２２２…差込片、６２５…内周面、６３、２６３…基台部、６３０、２６３０…支持部、６３１…第一支持部、６３２…第二支持部、６３２１…側壁部、６３３、２６３３…凹部、６３３１、２６３３１…支持面、６３２０、６３３２、２６３３２…当接面、６３５、２６３５…押さえ部、６４…端子カバー、６５…リベット、７０…絶縁部材、７１…筒状部材、７５…第一部材、７５１…第一筒部、７５２…第一鍔部、７５３…第一起立部、７６…第二部材、７６１…第二筒部、７６２…第二鍔部、７６３…第二起立部、８００…出力ライン、８００Ａ…接続端子、８０１…ナット、８０２…止ネジ、８０３…電極端子、８０４…中継バスバ、８０５…エンドプレート、８０６…基台部、Ｃ…所定の軸
【図１】
0006571513.tif 000002
【図２】
0006571513.tif 000003
【図３】
0006571513.tif 000004
【図４】
0006571513.tif 000005
【図５】
0006571513.tif 000006
【図６】
0006571513.tif 000007
【図７】
0006571513.tif 000008
【図８】
0006571513.tif 000009
【図９】
0006571513.tif 000010
【図１０】
0006571513.tif 000011
【図１１】
0006571513.tif 000012
【図１２】
0006571513.tif 000013
【図１３】
0006571513.tif 000014
【図１４】
0006571513.tif 000015
【図１５】
0006571513.tif 000016
【図１６】
0006571513.tif 000017
【図１７】
0006571513.tif 000018
【図１８】
0006571513.tif 000019
【図１９】
0006571513.tif 000020
【図２０】
0006571513.tif 000021
【図２１】
0006571513.tif 000022
【図２２】
0006571513.tif 000023